(57)【要約】      （修正有）【課題】既設の制御盤と操作箱とを結線する信号線の本数が６本であっても、機能を拡張した新たな制御盤と操作箱との交換設置を可能とする。【解決手段】既設の制御盤と操作箱を結線している電線管35に通した６本の既設信号線を使用し、既設信号線の数を超える複数種類の信号を伝送する制御盤10と操作箱12を、既設の制御盤と操作箱と交換して結線する。この結線は、制御盤10の電源を電源線KDと電源コモン線KDCを介して操作箱12の電源に接続し、制御盤10のシリアル送受信部70を操作箱12のシリアル送受信部72にシリアル伝送線Ｓとシリアル伝送コモン線SCを介して接続し、制御盤10の通話回路部24を操作箱12の電話ジャック32に電話線Ｔ及び電話コモン線TCを介して接続する。制御盤10のグランド端子G1と操作箱12のグランドG2をグランド線として機能する電線管35を介して接続する。【選択図】図５
2015139658.tif 000002
【特許請求の範囲】
【請求項１】
防護区画に設けた操作箱と制御盤との間で、各種信号を伝送するガス系消火設備に於いて、
前記制御盤と前記操作箱の間を、電線管に通した、電源線、電源コモン線、シリアル伝送線、シリアル伝送用コモン線、電話線及び電話コモン線の６本の信号線により結線し、
前記制御盤に設けた電源部を前記操作箱の電源部に前記電源線と前記電源コモン線を介して接続し、
前記制御盤に設けたシリアル送受信部を前記操作箱に設けたシリアル送受信部に前記シリアル伝送線と前記シリアル伝送コモン線を介して接続し、
前記制御盤または前記操作箱の少なくともいずれかのグランド端子を、グランド線として機能する前記電線管を介して接続し、
前記制御盤に設けた通話回路部を前記操作箱の電話ジャックに前記電話線及び前記電話コモン線を介して接続したことを特徴とするガス系消火設備。
【請求項２】
防護区画に設けた操作箱と制御盤との間で、各種信号を伝送するガス系消火設備に於いて、
前記制御盤と前記操作箱の間を、電線管に通した、電源線、シリアル伝送線、電源コモン線を兼ねたシリアル伝送コモン線、電話線及び電話コモン線の５本の信号線により結線し、
前記制御盤に設けた電源部を前記操作箱の電源部に前記電源線と前記シリアル伝送コモン線を介して接続し、
前記制御盤に設けたシリアル送受信部を前記操作箱に設けたシリアル送受信部に前記シリアル伝送線と前記シリアル伝送コモン線を介して接続し、
前記制御盤または前記操作箱の少なくともいずれかのグランド端子を、グランド線として機能する前記電線管を介して接続し、
前記制御盤に設けた通話回路部を前記操作箱の電話ジャックに前記電話線及び前記電話コモン線を介して接続したことを特徴とするガス系消火設備。
【請求項３】
防護区画に設けた操作箱と制御盤との間で、各種信号を伝送するガス系消火設備に於いて、
前記制御盤と前記操作箱の間を、電源線、シリアル伝送線、電源コモン線を兼ねたシリアル伝送コモン線、グランド線、電話線及び電話コモン線の６本の信号線により結線し、
前記制御盤に設けた電源部を前記操作箱の電源部に前記電源線と前記シリアル伝送コモン線を介して接続し、
前記制御盤に設けたシリアル送受信部を前記操作箱に設けたシリアル送受信部に前記シリアル伝送線と前記シリアル伝送コモン線を介して接続し、
前記制御盤及び前記操作箱のグランド端子を、前記グランド線を介して接続し、
前記制御盤に設けた通話回路部を前記操作箱の電話ジャックに前記電話線及び前記電話コモン線を介して接続したことを特徴とするガス系消火設備。
【請求項４】
防護区画に設けた操作箱と制御盤との間で、各種信号を伝送するガス系消火設備に於いて、
前記制御盤と前記操作箱の間を、電線管に通した、電源線を兼ねたシリアル伝送線、電源コモン線を兼ねたシリアル伝送コモン線、電話線及び電話コモン線の４本の信号線により結線し、
前記制御盤に設けた電源部及びシリアル送受信部を前記操作箱に設けた電源部及びシリアル送受信部に前記シリアル伝送線と前記シリアル伝送コモン線を介して接続し、
前記制御盤または前記操作箱の少なくともいずれかのグランド端子を、グランド線として機能する前記電線管を介して接続し、
前記制御盤に設けた通話回路部を前記操作箱の電話ジャックに前記電話線及び前記電話コモン線を介して接続したことを特徴とするガス系消火設備。
【請求項５】
防護区画に設けた操作箱と制御盤との間で、各種信号を伝送するガス系消火設備に於いて、
前記制御盤と前記操作箱の間を、電源線を兼ねたシリアル伝送線、電源コモン線を兼ねたシリアル伝送コモン線、グランド線、電話線及び電話コモン線の５本の信号線により結線し、
前記制御盤に設けた電源部及びシリアル送受信部を前記操作箱に設けた電源部及びシリアル送受信部に前記シリアル伝送線と前記シリアル伝送コモン線を介して接続し、
前記制御盤及び前記操作箱のグランド端子を、前記グランド線を介して接続し、
前記制御盤に設けた通話回路部を前記操作箱の電話ジャックに前記電話線及び前記電話コモン線を介して接続したことを特徴とするガス系消火設備。
【請求項６】
請求項１乃至５の何れかに記載のガス系消火設備に於いて、前記各信号線は、既設のガス系消火設備に設置している制御盤と操作箱を結線している既設信号線であり、前記既設信号線の数を超える複数種類の信号を伝送する制御盤と操作箱を、前記既設の制御盤と操作箱と交換して前記既設信号線により結線するように構成したことを特徴とするガス系消火設備。
【請求項７】
請求項１乃至５の何れかに記載のガス系消火設備に於いて、
前記制御盤に設けたシリアル送受信部は、
前記操作箱へ送信するデジタル表示信号を回線電圧の変化による電圧モードで送信する電圧送信部と、
前記操作箱に設けたシリアル送受信回路部から回線電流の変化による電流モードで送信されたデジタル制御信号を受信する電流受信部と、
を備え、
操作箱に設けたシリアル送受信部は、
制御盤へ送信するデジタル制御信号を回線電流の変化による電流モードで送信する電流送信部と、
制御盤に設けたシリアル送受信回路部から回線電圧の変化による電圧モードで送信されたデジタル表示信号を受信する電圧受信部と、
を備えたことを特徴とするガス系消火設備。
【請求項８】
請求項７記載のガス系消火設備に於いて、
前記制御盤に設けた前記シリアル送受信部は、前記操作箱へ送信するデジタル表示信号として、少なくとも火災感知器による火災検知を示す火災表示信号、消火ガスの放出を示す放出表示信号、自動モードの設定を示す自動モード表示信号、手動モードの設定を示す手動モード表示信号、及び所定のガス放出条件が成立した場合に開始するカウントダウンの残り時間を示すカウントダウン表示信号を送信し、
前記操作箱に設けた前記シリアル送受信部は、前記制御盤へ送信するデジタル制御信号として、少なくとも操作箱の扉の開放を示す扉開検知信号、起動釦の操作に基づく起動信号、非常停止釦の操作に基づく非常停止信号、自動モードの設定操作に基づく自動モード設定信号及び手動モードの設定操作に基づく手動モード設定信号を送信することを特徴とするガス系消火設備。
【発明の詳細な説明】
【技術分野】
【０００１】
本発明は、防護区画に設けた制御盤と操作箱との間で各種信号を伝送する二酸化炭素等の消火ガスを放出して火災を消火するガス系消火設備に関する。
【背景技術】
【０００２】
従来、火災発生時に二酸化炭素やハロンガス等の消火ガスを放出して火災を消火するガス系消火設備は、水損や汚損を嫌う機器を設置している室内において、消火による機器損失を最小限に抑えつつ迅速な消火を行うことを可能とする。
【０００３】
このようなガス系消火設備は、制御盤に自動モードを設定していた場合には、防護区画に設置した２回線に接続された各火災感知器からの火災発報（２回線のＡＮＤ発報）があった場合に所定時間のカウントダウンを開始し、カウントダウンが終了すると、ガス放出条件が成立したと判断して、制御盤から起動装置に起動信号を出力して動作し、起動装置から二酸化炭素等の開放ガスを防護区画に対応したガス供給配管に設けた選択弁に供給して開くと共に消火ガス貯蔵容器の栓を開け、噴射ヘッドから消火ガスを放出する。
【０００４】
また制御盤に手動モードを設定していた場合には、監視員が目視又は火災感知器の発報によって火災を発見し、操作箱の扉を開いて起動スイッチを押すことで制御盤がカウントダウンを開始し、カウントダウンが終了すると同様にして消火ガスを放出する。
【０００５】
図１０は、３０年ほど前に設置された古いガス系消火設備に設けた制御盤と操作箱の間の結線図である。図１０において、制御盤１０には操作箱１２からの起動信号と非常停止信号を受信する起動用受信部２０、操作箱１２に電源を供給する電源部２２及び操作箱１２側との通話連絡に使用する電話器をプラグで接続する電話ジャック２５を備えた通話回路部２４を設ける。
【０００６】
また、操作箱１２には、起動操作によりオンして起動信号を送信する起動スイッチ２６、カウントダウン中の非常停止操作によりオンして非常停止信号を送信する非常停止スイッチ２８、電源供給状態で点灯する電源灯３０及び非常電話機のプラグを接続する電話ジャック３２を設けている。
【０００７】
制御盤１０と操作箱１２の間は、起動信号線Ｓ１、非常停止信号線Ｓ２、グランド線Ｇ、電源線ＫＤ、電源コモン線ＫＤＣ、電話線Ｔ及び電話コモン線ＴＣからなる６本の信号線でパラレル結線しており、これら６本の信号線は例えば６芯ケーブル等を使用することで、制御盤１０と操作箱１２との間に埋設設置した電線管を通して結線している。
【０００８】
図１１は図１０の後継設備として機能を拡張したガス系消火設備に設けた制御盤と操作箱の間の結線図であり、制御盤の操作機能と表示機能を操作箱にも設けるようにしている。
【０００９】
図１１において、操作箱１２には、機能拡張に伴い、起動スイッチ２６及び非常停止スイッチ２８に加え、扉開検知スイッチ３８、自動モード設定スイッチ４０、手動モード設定スイッチ４２を追加し、また制御盤１０に表示用送信部３４を設け、これに対応して操作箱１２に、電源灯３０に加え、放出起動灯４６、火災灯４８、自動モード表示灯５０、手動モード表示灯５２及び閉止弁閉表示灯５４を設けており、操作箱１２による操作機能を強化している。なお、閉止弁閉表示灯５４は二酸化炭素の設備専用となる。
【００１０】
このような制御盤１０及び操作箱１２の機能拡大に伴い、６本の制御用信号線Ｓ１〜Ｓ６、５本の表示用信号線Ｓ７〜Ｓ１１、グランド線Ｇ、電源線ＫＤ、電源コモン線ＫＤＣ、電話線Ｔ及び電話コモン線ＴＣの合計１６本の信号線でパラレル結線し、また制御盤１０にはグランド線Ｇによる地絡を検出して警報させる地絡検出部３６を設けている。
【００１１】
図１２は図１１の後継設備となったガス系消火設備の制御盤と操作箱の間の結線図であり、制御盤と操作箱との間の結線数を低減するため表示制御にシリアル伝送を採用している。図１２において，制御盤１０に表示用シリアル送信部５６を設け、操作箱１２に設けた表示用シリアル受信部５８との間を２本の信号線ＫＳ１，ＫＳ２で接続し、制御盤１０から表示制御信号をシリアル伝送している。また操作箱１２にカウントダウンの残り時間を表示する２桁のカウントダウン表示器６０を設けている。これにより制御盤１０と操作箱１２の表示機能を拡張しながらも信号線の本数を１３本に低減している。
【先行技術文献】
【特許文献】
【００１２】
【特許文献１】特開平６−０６２４３２号公報
【特許文献２】特開平１１−２４５８０９号公報
【発明の概要】
【発明が解決しようとする課題】
【００１３】
ところで図１０に示したような設置から３０年近くが経過したガス系消火設備にあっては、設備を構成する機器が老朽化していることから、設備機能を維持する共に現在設置しているガス系消火設備と同等な機能を持たせるように設備のリニューアルを必要とする時期に達している。
【００１４】
このような設備をリニューアルするための改修工事にあっては、建築段階での設備工事とは異なり、可能なかぎり既設の設備環境を生かした工事が必要となる。この場合、例えば図１０に示した古い設備の制御盤と操作箱を、例えば図１１又は図１２に示した機能を拡張した制御盤と操作箱に交換する場合、既設の電線管に通している信号線が６本しかなく、図１１の１６本の信号線を必要とする場合、また図１２の１３本の信号線を必要とする場合のいずれについても交換することができない。
【００１５】
この場合、制御盤と操作箱との間にリニューアルに伴い必要とする本数の信号線を敷設できれば問題ないが、既設の電線管の中に更に追加分の信号線を通すことは困難であり、また、新たに電線管を敷設して必要な本数の信号線を通すことは、施設の構造物の一部を壊して電線管を敷設する作業が必要となり、このような改修工事は行うことには無理があり、設備をリニューアルする場合の大きなネックとなっている。
【００１６】
本発明は、既設の制御盤と操作箱とを結線する信号線の本数が６本であっても、信号線の本数を超える各種信号の送受信による拡張機能を備えた新たな制御盤と操作箱との交換設置を可能として、設備をリニューアルするための改修を簡単且つ容易に実現可能とするガス系消火設備を提供することを目的とする。
【課題を解決するための手段】
【００１７】
（６本の信号線と電線管で結線するガス系消火設備）
本発明は、防護区画に設けた操作箱と制御盤との間で、各種信号を伝送するガス系消火設備に於いて、
制御盤と操作箱の間を、電線管に通した電源線、電源コモン線、シリアル伝送線、シリアル伝送コモン線、電話線及び電話コモン線の６本の信号線により結線し、
制御盤に設けた電源部を操作箱の電源部に電源線と電源コモン線を介して接続し、
制御盤に設けたシリアル送受信部を操作箱に設けたシリアル送受信部にシリアル伝送線とシリアル伝送コモン線を介して接続し、
制御盤または操作箱の少なくともいずれかのグランド端子を、グランド線として機能する電線管を介して接続し、
制御盤に設けた通話回路部を操作箱の電話ジャックに電話線及び電話コモン線を介して接続したことを特徴とする。
【００１８】
（５本の信号線と電線管で結線するガス系消火設備）
本発明の別の形態にあっては、防護区画に設けた操作箱と制御盤との間で、各種信号を伝送するガス系消火設備に於いて、
制御盤と操作箱の間を、電線管に通した電源線、シリアル伝送線、電源コモン線を兼ねたシリアル伝送コモン線、電話線及び電話コモン線の５本の信号線により結線し、
制御盤に設けた電源部を操作箱の電源部に電源線とシリアル伝送コモン線を介して接続し、
制御盤に設けたシリアル送受信部を操作箱に設けたシリアル送受信部にシリアル伝送線とシリアル伝送コモン線を介して接続し、
制御盤または操作箱の少なくともいずれかのグランド端子を、グランド線として機能する電線管を介して接続し、
制御盤に設けた通話回路部を操作箱の電話ジャックに電話線及び電話コモン線を介して接続したことを特徴とする。
【００１９】
（６本の信号線で結線するガス系消火設備）
本発明の別の形態にあっては、防護区画に設けた操作箱と制御盤との間で、各種信号を伝送するガス系消火設備に於いて、
制御盤と操作箱の間を、電源線、シリアル伝送線、電源コモン線を兼ねたシリアル伝送コモン線、グランド線、電話線及び電話コモン線の６本の信号線により結線し、
制御盤に設けた電源部を操作箱の電源部に電源線とシリアル伝送コモン線を介して接続し、
制御盤に設けたシリアル送受信部を操作箱に設けたシリアル送受信部にシリアル伝送線とシリアル伝送コモン線を介して接続し、
制御盤及び操作箱のグランド端子を、グランド線を介して接続し、
制御盤に設けた通話回路部を操作箱の電話ジャックに電話線及び電話コモン線を介して接続したことを特徴とする。
【００２０】
（４本の信号線と電線管による結線）
本発明の別の形態にあっては、防護区画に設けた操作箱と制御盤との間で、各種信号を伝送するガス系消火設備に於いて、
制御盤と操作箱の間を、電線管を通した電源線を兼ねたシリアル伝送線、電源コモン線を兼ねたシリアル伝送コモン線、電話線及び電話コモン線の４本の信号線により結線し、
制御盤に設けた電源部及びシリアル送受信部を操作箱に設けた電源部及びシリアル送受信部にシリアル伝送線とシリアル伝送コモン線を介して接続し、
制御盤または操作箱の少なくともいずれかのグランド端子を、グランド線として機能する電線管を介して接続し、
制御盤に設けた通話回路部を操作箱の電話ジャックに電話線及び電話コモン線を介して接続したことを特徴とする。
【００２１】
（５本の信号線による結線）
本発明の別の形態にあっては、防護区画に設けた操作箱と制御盤との間で、各種信号を伝送するガス系消火設備に於いて、
制御盤と操作箱の間を、電源線を兼ねたシリアル伝送線、電源コモン線を兼ねたシリアル伝送コモン線、グランド線、電話線及び電話コモン線の５本の信号線により結線し、
制御盤に設けた電源部及びシリアル送受信部を操作箱に設けた電源部及びシリアル送受信部にシリアル伝送線とシリアル伝送コモン線を介して接続し、
制御盤及び操作箱のグランド端子を、グランド線を介して接続し、
制御盤に設けた通話回路部を操作箱の電話ジャックに電話線及び電話コモン線を介して接続したことを特徴とする。
【００２２】
（既設信号線の流用）
各信号線は、既設のガス系消火設備に設置している制御盤と操作箱を結線している既設信号線であり、既設信号線の数を超える複数種類の信号を伝送する制御盤と操作箱を、既設の制御盤と操作箱と交換して既設信号線により結線する。
【００２３】
（シリアル伝送）
制御盤に設けたシリアル送受信部は、
操作箱へ送信するデジタル表示信号を回線電圧の変化による電圧モードで送信する電圧送信部と、
操作箱に設けたシリアル送受信部から回線電流の変化による電流モードで送信されたデジタル制御信号を受信する電流受信部と、
を備え、
操作箱に設けたシリアル送受信部は、
制御盤へ送信するデジタル制御信号を回線電流の変化による電流モードで送信する電流送信部と、
制御盤に設けたシリアル送受信部から回線電圧の変化による電圧モードで送信されたデジタル表示信号を受信する電圧受信部と、
を備える。
【００２４】
（シリアル伝送信号の詳細）
制御盤に設けたシリアル送受信部は、操作箱へ送信するデジタル表示信号として、少なくとも火災感知器による火災検知を示す火災表示信号、消火ガスの放出を示す放出表示信号、自動モードの設定を示す自動モード表示信号、手動モードの設定を示す手動モード表示信号、及び所定のガス放出条件が成立した場合に開始するカウントダウンの残り時間を示すカウントダウン表示信号を送信し、
操作箱に設けたシリアル送受信部は、制御盤へ送信するデジタル制御信号として、少なくとも操作箱の扉の開放を示す扉開検知信号、起動スイッチの操作に基づく起動信号、非常停止スイッチの操作に基づく非常停止信号、自動モードの設定操作に基づく自動モード設定信号及び手動モードの設定操作に基づく手動モード設定信号を送信する。
【発明の効果】
【００２５】
（６本の信号線結線によるガス系消火設備の効果）
本発明のガス系消火設備は、制御盤と操作箱の間を、電線管に通した電源線、電源コモン線、シリアル伝送線、シリアル伝送コモン線、電話線及び電話コモン線の６本の信号線により結線し、制御盤に設けた電源部を操作箱の電源部に電源線と電源コモン線を介して接続し、制御盤に設けたシリアル送受信部を操作箱に設けたシリアル送受信部にシリアル伝送線とシリアル伝送コモン線を介して接続し、制御盤または操作箱の少なくともいずれかのグランド端子を、グランド線として機能する電線管を介して接続し、制御盤に設けた通話回路部を操作箱の電話ジャックに電話線及び電話コモン線を介して接続するようにしたため、制御盤と操作箱との間で電源供給、シリアル伝送、グランド接続及び通話接続を行う場合、通常のシリアル伝送では少なくとも２本の信号線を必要とするため、電源供給の２本、グランド接続の１本、通話接続の２本を加えて、少なくとも合計７本の信号線を必要とするが、本発明にあっては、制御盤及び操作箱のグランド端子をグランド線として機能する電線管を介して接続することで、これにより１本少ない６本で実現することができ、同等の機能をパラレル結線で実現している従来設備の１６本、或いは制御盤から操作箱へ表示信号をパラレル送信とした従来設備の１３本に比べ、制御盤と操作盤を結線する信号線の数を大幅に低減し、設備構成を簡単にしてコストを低減可能とする。
【００２６】
（５本の信号線と電線管により結線するガス系消火設備の効果）
また、本発明の別の形態にあっては、制御盤と操作箱の間を、電線管を通した電源線、シリアル伝送線、電源コモン線を兼ねたシリアル伝送コモン線、電話線及び電話コモン線の５本の信号線により結線し、制御盤に設けた電源部を操作箱の電源部に電源線とシリアル伝送コモン線を介して接続し、制御盤に設けたシリアル送受信部を操作箱に設けたシリアル送受信部にシリアル伝送線とシリアル伝送コモン線を介して接続し、制御盤または操作箱の少なくともいずれかのグランド端子を、グランド線として機能する電線管を介して接続し、制御盤に設けた通話回路部を操作箱の電話ジャックに電話線及び電話コモン線を介して接続するようにしたため、制御盤と操作箱との間で電源供給、シリアル伝送、グランド接続及び通話接続を行う場合、通常のシリアル伝送では少なくとも２本の信号線を必要とするため、電源供給の２本、グランド接続の１本、通話接続の２本を加えて、少なくとも合計７本の信号線を必要とするが、本発明の別の形態にあっては、制御盤及び操作箱のグランド端子をグランドとして機能する電線管を介して接続し、また、シリアル伝送コモン線を電源コモン線と共用することで、２本少ない５本で実現することができ、同等の機能をパラレル結線で実現している従来設備の１６本、或いは制御盤から操作箱へ表示信号をパラレル送信とした従来設備の１３本に比べ、制御盤と操作盤を結線する信号線の数を大幅に低減し、設備構成を簡単にしてコストを低減可能とする。
【００２７】
また、電線管を使用せずに、制御盤と操作箱の間を、グランド線を含む６本の信号線で結線する本発明の他の形態についても、基本的に同じ効果が得られる。
【００２８】
（４本の信号線と電線管により結線するガス系消火設備の効果）
本発明の別の形態にあっては、制御盤と操作箱の間を、電線管に通した電源線を兼ねたシリアル伝送線、電源コモン線を兼ねたシリアル伝送コモン線、電話線及び電話コモン線の４本の信号線により結線し、制御盤に設けた電源部及びシリアル送受信部を操作箱に設けた電源部及びシリアル送受信部にシリアル伝送線とシリアル伝送コモン線を介して接続し、制御盤または操作箱の少なくともいずれかのグランド端子を、グランド線として機能する電線管を介して接続し、制御盤に設けた通話回路部を操作箱の電話ジャックに電話線及び電話コモン線を介して接続するようにしたため、制御盤と操作箱との間で電源供給、シリアル伝送、グランド接続及び通話接続を行う場合、通常のシリアル伝送では少なくとも２本の信号線を必要とするため、電源供給の２本、グランド接続の１本、通話接続の２本を加えて、少なくとも合計７本の信号線を必要とするが、本発明の別の形態にあっては、制御盤及び操作箱をグランド線として機能する電線管に接続し、またシリアル伝送線及びシリアル伝送コモン線を電源線及び電源コモン線と共用することで、３本少ない４本で実現することができ、同等の機能をパラレル結線で実現している従来設備の１６本、或いは制御盤から操作箱へ表示信号をパラレル送信とした従来設備の１３本に比べ、制御盤と操作盤を結線する信号線の数を大幅に低減し、設備構成を簡単にしてコストを低減可能とする。
【００２９】
また、電線管を使用せずに、制御盤と操作箱の間を、グランド線を含む５本の信号線で結線する本発明の他の形態についても、基本的に同じ効果が得られる。
【００３０】
（既設信号線の流用）
各信号線は、既設のガス系消火設備に設置している制御盤と操作箱を結線している既設信号線であり、既設信号線の数を超える複数種類の信号を伝送する制御盤と操作箱を、既設の制御盤と操作箱と交換して既設信号線により結線するように構成したため、制御盤と操作箱の間を６本の信号線で結線している古くなった既存のガス消火設備をリニューアルする場合、電線管に通して設置している６本の既設信号線の全て又は一部を使用し、また必要に応じてグランド線として電線管を使用することで、機能拡張を図った制御盤と操作箱に入れ替える改修工事を可能とし、既設信号線では本数が不足する改修工事のネックを解消し、古くなった設備のリニューアルを簡単且つ容易に押し進めることを可能とする。
【００３１】
（シリアル伝送による効果）
制御盤に設けたシリアル送受信部は、操作箱へ送信するデジタル表示信号を回線電圧の変化による電圧モードで送信する電圧送信部と、操作箱に設けたシリアル送受信部から回線電流の変化による電流モードで送信されたデジタル制御信号を受信する電流受信部とを備え、操作箱に設けたシリアル送受信部は、制御盤へ送信するデジタル制御信号を回線電流の変化による電流モードで送信する電流送信部と、制御盤に設けたシリアル送受信部から回線電圧の変化による電圧モードで送信されたデジタル表示信号を受信する電圧受信部とを備えるようにしたため、電圧モードと電流モードによる双方向伝送（半二重）とすることで、電源供給とシリアル伝送のコモン線を共用することができ、これにより既設設備の電線管に通して設置している６本の既設信号線又は一部を使用し、更に必要に応じて電線管をグランド線とすることで、機能を拡張した制御盤と操作箱を交換する改修工事を可能とする。
【図面の簡単な説明】
【００３２】
【図１】ガス系消火設備の全体構成を示した説明図
【図２】ガス系消火設備に設けた制御盤の機能構成を操作箱を含む設備機器と共に示した説明図
【図３】操作箱の外観を示した説明図
【図４】操作箱の扉を開いて内部を示した説明図
【図５】制御盤と操作箱の機能構成を６本の信号線とグランド用電線管による結線と共に示したブロック図
【図６】図４の制御盤と操作箱に設けたシリアル送受信部の機能構成を示したブロック図
【図７】制御盤と操作箱の間を５本の信号線とグランド用電線管により結線するガス系消火設備の他の実施形態を示したブロック図
【図８】制御盤と操作箱の間を４本の信号線とグランド用電線管により結線するガス系消火設備の他の実施形態を示したブロック図
【図９】図８の制御盤と操作箱に設けたシリアル送受信部の機能構成を示したブロック図
【図１０】制御盤と操作箱の間を６本の信号線で結線した従来設備を示した説明図
【図１１】制御盤の操作機能と表示機能を操作箱に持たせる機能拡張を図って１６本の信号線でパラレル結線した従来設備を示した説明図
【図１２】制御盤から操作箱へ表示信号をシリアル伝送して１３本の信号線に削減した従来設備を示した説明図
【発明を実施するための形態】
【００３３】
［ガス系消火設備の概要］
（設備構成）
図１はガス系消火設備の全体構成図を示した説明図である。なお、図１の設備構成は一例であり、必要に応じて適宜の構成をとることができる。
【００３４】
図１に示すように、ガス系消火設備にはガス系の消火設備を一括制御する制御盤１０を設け、また防護区画Ａ，Ｂとなる各部屋の外に操作箱１２を設置している。操作箱１２は起動スイッチと起動スイッチを保護する扉を備え、手動モードを設定している場合、人が火災を発見したときには、扉を開けて起動スイッチを操作することにより制御盤１０に起動信号を送信し、消火剤としての消火ガスを放出させる。放出表示灯１５は監視区域内に消火ガスが放出されていることを表示し、室内に入らないことを知らせる。
【００３５】
噴射ヘッド１１は消火ガスを室内に放出する。スピーカ１３は消火ガスが放出されることを放送し、人が警戒区域内に存在する場合は直ちに避難することを促す。消火ガス貯蔵容器１６は消火ガスを貯蔵する。
【００３６】
起動装置１８は防護区画Ａ，Ｂに対応して設け、制御盤１０から消火ガス放出用の起動信号を受けて内蔵したソレノイドの通電により開弁して二酸化炭素などの開放ガスを放出し、開放ガスにより選択弁１７を開放させると共に消火ガス貯蔵容器１６の栓を開ける。選択弁１７は起動装置１８の起動による開放ガスを受けて開き、火災の生じた防護区画Ａ，Ｂの噴射ヘッド１４に消火ガスを供給して噴射させる。
【００３７】
火災感知器１１は２回線の感知器回線で各防護区画Ａ，Ｂの火災を監視している。圧力スイッチ２１は消火貯蔵容器１６から消火ガスが放出されたことを検出し、制御盤１０に検出信号を送り、火災の発生した監視区域に対応した放出表示灯１５を点滅させる。ピストンレリーザ１９は消火ガスが部屋に放出されたとき消火ガスを室外に漏れないようにダンパーで排煙口を閉じる。閉止弁２３は消火ガス貯蔵容器１６からの消火ガスの供給を手動で閉止する。
【００３８】
このようなガス系消火設備において、制御盤１０に自動モードを設定していた場合には、２系統の回線に接続された各火災感知器１１からの火災発報（２回線のＡＮＤ発報）があった場合に所定時間のカウントダウンを開始し、このカウントダウンが終了するとガス放出条件が成立したと判定し、制御盤１０から起動装置１８にガス放出信号を出力して動作し、起動装置１８から二酸化炭素等の開放ガスを選択弁１７に供給して開くと共に消火ガス貯蔵容器１６の栓を開け、ガス供給配管２１を介して噴射ヘッド１４から火災検知した防護区画の室内に消火ガスを放出させる。
【００３９】
また制御盤１０に手動モードを設定していた場合には、監視員が目視又は火災感知器１１の発報によって例えば防護区画Ａの火災を発見し、防護区画Ａの外側に設置している操作箱１２の扉を開いて起動スイッチを押すことで起動信号を制御盤１０に送信してカウントダウンを開始させ、カウントダウンが終了するとガス放出条件が成立したと判定し、自動モードの場合と同様にして防護区画の噴射ヘッド１４から消火ガスを放出させる。
【００４０】
このような自動モード又は手動モードを設定した場合の動作においては、制御盤１０から各操作箱１２へ、あるいは各操作箱１２から制御盤１０に対して、各種の信号が伝送される。
【００４１】
（制御盤の構成）
図２はガス系消火設備に設けた制御盤の機能構成を操作箱を含む設備機器と共に示した説明図である。
【００４２】
図２に示すように、制御盤１０は図１に示した防護区画Ａ，Ｂの火災を監視すると共に火災に伴う消火ガスの放出制御を行うものであり、制御部１００を備え、制御部１００に対し表示部１０２、操作部１０４、警報部１０５、移報部１０６、電源部１０８及び蓄電池を備えた予備電源部１１０を設けている。
【００４３】
制御部１００に対し受信回路部１１２を接続し、受信回路部１１２から一つの防護区画に対し感知器回線を２回線引き出して火災感知器１１をそれぞれ接続している。
【００４４】
また、制御部１００に対し操作箱送受信部１１４を接続し、操作箱送受信部１１４と防護区画の入口に設けた操作箱１２との間を、電線管（図示せず）に通した６本の信号線で接続している。
【００４５】
制御部１００には、受信回路部１１５を介して閉止弁２３に設けた閉止弁閉検出スイッチを接続し、また、受信回路部１１６を介してガス放出を検出してオンする圧力スイッチ２１を接続している。
【００４６】
また、制御部１００に対し受信回路部１１８と駆動回路部１２０を接続し、防護区画にシャッター１３０を設けている場合、駆動回路部１２０から閉鎖駆動信号をシャッター１３０に出力して閉鎖し、シャッター閉鎖信号を受信回路部１１８で受信するようにしている。
【００４７】
また、制御部１００は駆動回路部１２２を介して防護区画に設けたスピーカ１５に接続し、ガス放出に先立つカウントダウン中に避難退避を促す放送音を出力するようにしている。
【００４８】
また、制御部１００に対し音響鳴動選択駆動回路部１２４を介してベル１３２及びサイレン１３４を接続し、ガス放出に先立つダウンカウント中に防護区画に設けたベル１３２又はサイレン１３４を鳴動して火災発生の報知と防護区画からの避難退避を促すようにしている。
【００４９】
また、制御部１００に対しては駆動回路部１２６を介して放出表示灯１５を接続しており、圧力スイッチ２１によるガス放出の検出信号を受信した場合に放出表示灯１５をフリッカ駆動するようにしている。
【００５０】
また、制御部１００に対しては駆動回路部１２６を介して起動装置１８を接続しており、カウントダウン終了で放出起動信号を起動装置１８に出力して開放ガスを放出し、図１に示した選択弁１７の開放及び消火ガス貯蔵容器１６の開栓により噴射ヘッド１４から消火ガスを放出させる。
【００５１】
表示部１０２には、電源状態を示す電源灯、火災発生を示す火災灯、手動モードの設定を示す手動モード表示灯、自動モードの設定を示す自動モード表示灯、ガス放出までのカウントダウン時間を表示するカウントダウン表示器、ガス放出動作の起動を示す放出起動灯、ガス放出されたことを示す放出灯等を設けている。
【００５２】
操作部１０４には、全ての防護区画での動作モードを一括して自動モード又は手動モードに切替えるキースイッチ、手動起動を行う起動スイッチ、カウントダウン中にガス放出を停止させる非常停止スイッチ、警報を停止させる警報停止スイッチ、移報を停止させる移報停止スイッチ等を設けている。
【００５３】
警報部１０５には警報音を出力するスピーカを設けている。また移報部１０６には、自動モード、手動モード、火災、起動、ガス放出等の移報信号を出力する無電圧接点回路を設けている。
【００５４】
制御部１００は、ＣＰＵ、メモリ、各種入出力ポートを備えたコンピュータ回路或いはボード実装のディスクリート回路等で構成し、自動モード又は手動モードの設定に基づき防護区画に対するガス放出制御を行う。
【００５５】
制御部１００は、自動モードの設定状態を検知していた場合、防護区画に設けた２台の火災感知器１１が火災を検知して動作する２回線発報を検知した場合に所定時間のカウントダウンを開始し、カウントダウン終了を検知するとガス放出条件の成立と判定し、起動装置１８に放出起動信号を出力する制御を行い、これにより開放動作した起動装置１８から二酸化炭素等の開放ガスを図１に示した選択弁１７に供給して駆動すると共に消火ガス貯蔵容器１６の栓を開け、噴射ヘッド１４から消火ガスを放出させる。
【００５６】
また、制御部１００は、手動モードの設定状態を検知していた場合には、監視員が目視又は火災感知器１１の発報によって火災を発見して操作箱１２の起動スイッチを押すことで放出起動信号を受信した場合に所定時間のカウントダウンを開始し、カウントダウンが終了するとガス放出条件の成立と判定し、起動装置１８に放出起動信号を出力する制御を行い、これにより開放動作した起動装置１８から二酸化炭素等の開放ガスを図１に示した選択弁１７に供給して駆動すると共に貯蔵容器１６の栓を開け、噴射ヘッド１４から消火ガスを放出させる。
【００５７】
また、制御部１００は、自動モード又は手動モードの何れにおいても、火災を検知した場合には火災表示信号を、カウンタダウンを開始した場合には残り時間を示すカウントダウン表示信号を、ガス放出動作の起動を検知した場合には放出起動表示信号を、閉止弁の閉止を検知した場合は閉止弁閉表示信号を、後の説明で明らかにするシリアル伝送により操作箱１２へ送信して表示させる制御を行う。
【００５８】
（操作箱の構成）
図３は防護区画に設けた操作箱の外観を示した説明図、図４は操作箱の扉を開いた内部を示した説明図である。
【００５９】
図３に示すように、操作箱１２は、その扉６２の前面側に、消火ガス放出前のカウントダウン時間を表示するカウントダウン表示器６０、消火ガスの放出を非常停止するための非常停止スイッチ２８、運転モード又は手動モードのモード選択を行うためのキースイッチ４５、火災発生を示す火災灯４８、ガス放出動作が起動されたことを示す放出起動灯４６、操作箱１２の電源状態を示す電源灯３０、消火ガスを放出させないための閉止弁２３が閉じているときに点滅する閉止弁閉表示灯５４、手動モード運転時に点灯する手動モード表示灯５２、自動モード運転時に点灯する自動モード表示灯５０を設けている。
【００６０】
また操作箱１２は、図４に示すように、扉６２を開いた際に露出する内部に、消火ガスの放出を手動で指示するための起動スイッチ２６、扉６２が開かれたことを検知する扉開検知スイッチ３８を設けている。
【００６１】
［制御盤と操作箱の機能と結線］
（信号線６本と電線管による結線）
図５は制御盤と操作箱の機能構成を６本の信号線とグランド用電線管による結線と共に示したブロック図である。
【００６２】
図５に示すように、制御盤１０の操作箱送受信部１１４には、シリアル送受信部７０、地絡検出部３６、及び電話ジャック２５を備えた通話回路部２４を設けている。
【００６３】
また操作箱１２には、シリアル送受信部７２、表示回路部７４及び電話ジャック３２を設けている。シリアル送受信部７２に対しては操作部として、起動スイッチ２６、非常停止スイッチ２８、扉開検知スイッチ３８、自動モード設定スイッチ４０、手動モード設定スイッチ４２を設けている。なお、必要に応じてランプテストスイッチ４４を設けても良い。また、自動モード設定スイッチ４０と手動モード設定スイッチ４２は図３に示したキースイッチ４５により操作される。
【００６４】
表示回路部７４に対しては表示部として、電源灯３０、放出起動灯４６、火災灯４８、自動モード表示灯５０、手動モード表示灯５２、閉止弁閉表示灯５４及び２桁表示のダウンカウント表示器６０を設けている。
【００６５】
制御盤１０に設けた操作箱送受信部１１４と操作箱１２の間は、電線管３５に通した６本の信号線を使用して結線しており、この６本の信号線は、電源線ＫＤ、電源コモン線ＫＤＣ、シリアル伝送線Ｓ、シリアル伝送コモン線ＳＣ、電話線Ｔ及び電話コモン線ＴＣとなる。
【００６６】
具体的には、制御盤１０に設けた電源部１０８（図２参照）からの正負の電源ラインを、電源線ＫＤと電源コモン線ＫＤＣを介して操作箱１２の電源部となる正負の電源ラインに接続している。
【００６７】
また制御盤１０に設けたシリアル送受信部７０をシリアル伝送線Ｓとシリアル伝送コモン線ＳＣを介して操作箱１２に設けたシリアル送受信部７２に接続している。
【００６８】
制御盤１０の金属筐体に設けたグランド端子Ｇ１及び操作箱１２の金属筐体に設けたグランド端子Ｇ２はグランド接続によりグランド線として機能する電線管３５に接続しており、電線管３５をグランド線として使用することで、制御盤１０と操作箱１２のグランド電位を同電位としている。
【００６９】
また制御盤１０に地絡検出部３６を設けて電線管３５に接続しており、地絡検出部３６はグランド線として機能する電線管３５の電位を監視し、所定の電圧範囲を超えた場合又は下がった場合に地絡を検出して図２に示した制御部１００により障害警報を出力させる。
【００７０】
なお、操作盤１０と操作箱１２の間で複数の電線管を継ぎながら設置している設備では、途中で非導電性の電線管が使用されている場合があり、この場合には導電性の電線管の間でグランドを接続していくことで対応できる。
【００７１】
（既存設備のリニューアル）
図５に示した制御盤１０と操作箱１２の間を６本の信号線で結線する構成は、図１０に示した制御盤１０と操作箱１２の間を６本の信号線で結線している古い設備をリニューアルするための改修工事に適用する。
【００７２】
即ち、図１０に示した古い設備に設置している制御盤１０と操作箱１２を撤去し、その間を結線していた６本の信号線はそのまま電線管に通したまま残し、図２乃至図５に実施形態に示した制御盤１０と操作箱１２を新たに設置し、既設の６本の信号線とグランド用電線管により図５に示すように結線する改修工事を行う。
【００７３】
この制御盤１０と操作箱１２を新たなものに交換する改修工事にあっては、それ以外の図１に示した設備機器については、耐用年数を過ぎているか、耐用年数に近づいているものは新品に交換するが、それ以外の機器は旧設備のものをそのまま残し、交換した新たな制御盤１０に図２に示すように接続する。
【００７４】
このように古くなった既存のガス消火設備の電線管に通して制御盤と操作箱の間を結線している６本の既設信号線とグランド用電線管を使用して、機能拡張を図った制御盤と操作箱に入れ替える改修工事が可能となり、既設信号線では本数が不足するという改修工事のネックを解消し、古くなった設備のリニューアルを簡単且つ容易に押し進めることができる。
【００７５】
［電圧モードと電流モードによるシリアル伝送］
図６は制御盤と操作箱に設けたシリアル送受信部の機能構成を示したブロック図である。
【００７６】
図６に示すように、制御盤１０に設けたシリアル送受信部７０は、伝送制御部７５、電圧送信部７６及び電流受信部７８を備える。
【００７７】
電圧送信部７６はシリアル伝送線Ｓに制御盤１０側から所定の回線電圧＋Ｖｓを常時印加しており、この状態で伝送制御部７５を介して入力した操作箱１２へ送信する所定形式のデジタル表示信号を回線電圧の変化による電圧パルス列に変換して電圧モードで送信する。即ち電圧送信部７６は、制御部７５を介して入力するデジタル表示信号について、回線電圧＋Ｖｓをビット０に対応した基底レベルとし、ビット１に対応して電源電圧＋Ｖｓより所定値高い電圧を印加することで生成した電圧パルスを送信する。
【００７８】
電流受信部７８は、操作箱１２に設けたシリアル送受信部７２から回線電流の変化による電流パルス列に変換して電流モードで送信されたデジタル制御信号を受信して伝送制御部７５に出力する。
【００７９】
また、操作箱１２に設けたシリアル送受信部７２は、伝送制御部８０、電圧受信部８２及び電流送信部８４を備える。電圧受信部８２は、制御盤１０のシリアル送受信部７０に設けた電圧送信部７６から回線電圧の変化による電圧パルス列に変換して電圧モードで送信されたデジタル表示信号を受信して伝送制御部８０に出力する。
【００８０】
電流送信部８４は伝送制御部８０を介して入力した制御盤１０へ送信する所定形式のデジタル制御信号を回線電流の変化による電流パルス列に変換して電流モードで送信する。即ち、電流送信部８４は、伝送制御部８０を介して入力するデジタル制御信号を電流信号に変換して送信する場合、定常的に流れている一定の消費電流をビット０に対応した基底電流とし、ビット１に対応して所定値だけ電流を増加させることで生成した電流パルスを送信する。
【００８１】
なお、デジタル表示信号及びデジタル制御信号の形式は、同期信号、送信元アドレス、送信先アドレス、コマンド、チェックコード等を含む形式とする。
【００８２】
このような２本の信号線を使用して異なる方向にデジタル信号を電圧モードと電流モードで伝送するシリアル伝送は、Ｒ型として知られたアドレスを設定した火災感知器単位に火災を監視して受信機で火災警報を出力する火災報知設備で本願出願人が実用化しており、受信機から引き出した感知器回線は電源兼用信号線として使用する必要があり、このため火災感知器に対する電源供給と受信機と火災感知器との間の信号伝送を同時に行うシリアル伝送となる。
【００８３】
火災感知器のように消費電力が少ない場合には電源供給線をシリアル伝送線に兼用でき、また、本実施形態の操作箱のように消費電力が比較的大きい場合には専用の電源線と電源コモン線を設けるが望ましい。
【００８４】
また、後述する信号線を５本とする他の実施形態では、シリアル伝送コモン線を電源コモン線に共用し、更に、後述する信号線を４本とする他の実施形態では、操作箱側の消費電流を一定に保つ工夫を行うことで、シリアル伝送線及びシリアル伝送コモン線を電源線及び電源コモン線に共用することもできる。
【００８５】
また、電線管をグランド線として使用することにより６本の信号線による結線が可能となることで、制御盤１０に対し複数の操作箱１２をマルチドロップに接続して半二重のシリアル伝送を可能とするＲＳ４８５を使用することもできる。
【００８６】
［５本の信号線によるガス系消火設備］
（５本の信号線と電線管による結線）
図７は制御盤と操作箱の間を５本の信号線とグランド用電線管により結線するガス系消火設備の他の実施形態を示したブロック図である。
【００８７】
図７に示すように、制御盤１０の操作箱送受信部１１４には、シリアル送受信部７０、地絡検出部３６、及び電話ジャック２５を備えた通話回路部２４を設けている。また操作箱１２には、シリアル送受信部７２、表示回路部７４及び電話ジャック３２を設けている。
【００８８】
シリアル送受信部７２に対しては操作部として、起動スイッチ２６、非常停止スイッチ２８、扉開検知スイッチ３８、自動モード設定スイッチ４０、手動モード設定スイッチ４２及びランプテストスイッチ４４を設けている。なお、自動モード設定スイッチ４０と手動モード設定スイッチ４２は図２に示したキースイッチ４５により操作される。表示回路部７４に対しては表示部として、電源灯３０、放出起動灯４６、火災灯４８、自動モード表示灯５０、手動モード表示灯５２、閉止弁閉表示灯５４及び２桁表示のダウンカウント表示器６０を設けている。
【００８９】
これらの構成は図５の実施形態と基本的に同じであるが、本実施形態では、制御盤１０に設けた操作箱送受信部１１４と操作箱１２の間を、電線管３５に通した電源線ＫＤ、シリアル伝送線Ｓ、電源コモン線を兼用したシリアル伝送コモン線ＳＣ、電話線Ｔ及び電話コモン線ＴＣの５本の信号線により結線している。なお、後述するリニューアルの工事で既設の電線管に通している６本の信号線を使用する場合には、１本が未使用の空き線９０となる。
【００９０】
具体的には、制御盤１０に設けた電源部１０８（図２参照）からの正負の電源ラインを、電源線ＫＤとシリアル伝送コモン線ＳＣを介して操作箱１２の電源部となる正負の電源ラインに接続している。
【００９１】
また制御盤１０に設けたシリアル送受信部７０をシリアル伝送線Ｓとシリアル伝送コモン線ＳＣを介して操作箱１２に設けたシリアル送受信部７２に接続している。このシリアル伝送用の信号線について、コモン側は電源コモン線と共用しており、したがって電源供給とシリアル伝送に必要な信号線は３本で済む。
【００９２】
また、制御盤１０の金属筐体に設けたグランド端子Ｇ１及び操作箱１２の金属筐体に設けたグランド端子Ｇ２はグランド接続した電線管３５に接続し、電線管３５をグランド線として使用することで、制御盤１０と操作箱１２のグランド電位を同電位としている。
【００９３】
また制御盤１０に地絡検出部３６を設けて電線管３５に接続しており、地絡検出部３６はグランド線として機能する電線管３５の電位を監視し、所定の電圧範囲を超えた場合又は下がった場合に地絡を検出して図２に示した制御部１００により障害警報を出力させる。
【００９４】
図７の実施形態における制御盤１０のシリアル送受信部７０及び操作箱１２のシリアル送受信部７２の構成及び動作は、図６の実施形態と同じになる。
【００９５】
しかしながら、５本の信号線を使用する図７のシリアル伝送には、ＲＳ４８５は使用できない。ＲＳ４８５は一対の信号ライン上に最大３２台の装置を芋づる式に接続できるシリアル通信方式であり、電源供給は個々の装置で行っており、ある装置から別の装置に電源を供給する場合には別途一対の電源ラインが必要であり、本実施形態のように電源コモン線をＲＳ４８５の一方の信号ラインと共用するような使い方はできない。
【００９６】
（既存設備の信号線５本を利用したリニューアル）
図７に示した制御盤１０と操作箱１２の間を５本の信号線とグランド用電線管で結線する構成は、図１０に示した制御盤１０と操作箱１２の間を６本の信号線で結線している古い設備をリニューアルするための改修する場合、古い設備に設置している制御盤１０と操作箱１２を撤去し、その間を結線していた６本の信号線は電線管に通したまま残し、図７の実施形態に示した制御盤１０と操作箱１２を新たに設置し、既設の６本の信号線の内の５本とグランド用の電線管により図７に示すように結線する改修工事を行う。
【００９７】
このように古くなった既存のガス消火設備の電線管に通して制御盤と操作箱の間を結線している６本の既設信号線の内の５本と電線管をグランド線に使用して、機能拡張を図った制御盤と操作箱に入れ替える改修工事が可能となり、既設信号線では本数が不足するという改修工事のネックを解消し、古くなった設備のリニューアルを簡単且つ容易に押し進めることができる。
【００９８】
（６本の信号線による結線）
図７の実施形態にあっては、グランド線として機能する電線管３５を使用することで、制御盤１０と操作箱１２の間を６本の信号線で結線している古い設備をリニューアルする場合に、１本の空き線９０が発生する。そこで、空き線９０をグランド線として制御盤１０の金属筐体に設けたグランド端子Ｇ１及び操作箱１２の金属筐体に設けたグランド端子Ｇ２を接続するようにしても良い。
【００９９】
［４本の信号線によるガス系消火設備］
（４本の信号線と電線管による結線）
図８は制御盤と操作箱の間を４本の信号線とグランド用電線管により結線するガス系消火設備の他の実施形態を示したブロック図である。
【０１００】
図８に示すように、制御盤１０の操作箱送受信部１１４には、シリアル送受信部７０、地絡検出部３６、及び電話ジャック２５を備えた通話回路部２４を設けている。また操作箱１２には、シリアル送受信部７２、表示回路部７４及び電話ジャック３２を設けている。
【０１０１】
シリアル送受信部７２に対しては操作部として、起動スイッチ２６、非常停止スイッチ２８、扉開検知スイッチ３８、自動モード設定スイッチ４０、手動モード設定スイッチ４２及びランプテストスイッチ４４を設けている。なお、自動モード設定スイッチ４０と手動モード設定スイッチ４２は図２に示したキースイッチ４５により操作される。表示回路部７４に対しては表示部として、電源灯３０、放出起動灯４６、火災灯４８、自動モード表示灯５０、手動モード表示灯５２、閉止弁閉表示灯５４及び２桁表示のダウンカウント表示器６０を設けている。
【０１０２】
これらの構成は図５の実施形態と基本的に同じであるが、本実施形態では、制御盤１０に設けた操作箱送受信部１１４と操作箱１２の間を、電線管３５に通した電源線を兼用したシリアル伝送線Ｓ、電源コモン線を兼用したシリアル伝送コモン線ＳＣ、電話線Ｔ及び電話コモン線ＴＣの４本の信号線により結線している。なお、後述するリニューアルの工事で既設の電線管に通している６本の信号線を使用する場合には、２本が未使用の空き線９０，９２となる。
【０１０３】
具体的には、制御盤１０に設けたシリアル送受信部７０を電源線を兼ねたシリアル伝送線Ｓと電源コモン線を兼ねたシリアル伝送コモン線ＳＣを介して操作箱１２に設けたシリアル送受信部７２に接続している。このシリアル伝送用の２本の信号線について、電源用の２本の信号線と共用しており、したがって電源供給及びシリアル伝送に必要な信号線は２本で済む。
【０１０４】
また、制御盤１０の金属筐体に設けたグランド端子Ｇ１及び操作箱１２の金属筐体に設けたグランド端子Ｇ２はグランド接続した電線管３５に接続し、電線管３５をグランド線として使用することで、制御盤１０と操作箱１２のグランド電位を同電位としている。
【０１０５】
また、制御盤１０に地絡検出部３６を設けて電線管３５に接続しており、地絡検出部３６はグランド線として機能する電線管３５の電位を監視し、所定の電圧範囲を超えた場合又は下がった場合に地絡を検出して図２に示した制御部１００により障害警報を出力させる。
【０１０６】
（既存設備の信号線４本を利用したリニューアル）
図８に示した制御盤１０と操作箱１２の間を４本の信号線とグランド用電線管で結線する構成は、図１０に示した制御盤１０と操作箱１２の間を６本の信号線で結線している古い設備をリニューアルするための改修する場合、古い設備に設置している制御盤１０と操作箱１２を撤去し、その間を結線していた６本の信号線は電線管に通したまま残し、図８の実施形態に示した制御盤１０と操作箱１２を新たに設置し、既設の６本の信号線の内の４本とグランド用の電線管により図８に示すように結線する改修工事を行う。
【０１０７】
このように古くなった既存のガス消火設備の電線管に通して制御盤と操作箱の間を結線している６本の既設信号線の内の５本と電線管をグランド線に使用して、機能拡張を図った制御盤と操作箱に入れ替える改修工事が可能となり、既設信号線では本数が不足するという改修工事のネックを解消し、古くなった設備のリニューアルを簡単且つ容易に押し進めることができる。
【０１０８】
（電圧モードと電流モードによるシリアル伝送）
図９は図８の制御盤と操作箱に設けたシリアル送受信部の機能構成を示したブロック図である。
【０１０９】
図９に示すように、制御盤１０に設けたシリアル送受信部７０は、伝送制御部７５、電圧送信部７６及び電流受信部７８を備え、また、操作箱１２に設けたシリアル送受信部７２は、伝送制御部８０、電圧受信部８２及び電流送信部８４を備え、この点は図６の場合と基本的に同じになるが、両者の間を電源線を兼ねたシリアル伝送線Ｓと電源コモン線を兼ねたシリアル伝送コモン線ＳＣで結線している点で相違する。
【０１１０】
このように制御盤１０から操作盤１２に電源を供給するため、制御盤側のシリアル送受信部７０に設けた電圧送信部７６は、図２に示した電源部１０８から操作箱側へ供給する電源電圧＋Ｖｃの印加を受け、この電源電圧＋Ｖｃを電源線を兼ねたシリアル伝送線Ｓと電源コモン線を兼ねたシリアル伝送コモン線ＳＣにより操作箱１２に電源供給している。
【０１１１】
また、伝送制御部７５を介して入力するデジタル表示信号について電圧送信部７６は、電源電圧＋Ｖｃをビット０に対応した基底レベルとし、ビット１に対応して電源電圧＋Ｖｃより所定値高い電圧を印加することで生成した電圧パルスを送信する。これにより操作箱１２側はデジタル表示信号のシリアル伝送中においても常に安定した電源供給を制御盤１０側から受けることができる。
【０１１２】
また、操作箱１２側のシリアル送受信部７２には、電圧受信部８２の出力電圧から操作箱１２側の電源電圧を生成する電源部８６を設けている。電源部８６は定電流機能を備え、電源部８６から操作箱負荷に供給する電源電流を一定に保つようにしている。このような電源部８６の定電流機能により、制御部１０側のシリアル送受信部７０から操作箱１２側のシリアル送受信部７２に電源線を兼ねたシリアル伝送線Ｓと電源コモン線を兼ねたシリアル伝送コモン線ＳＣを介して流れる定常状態での消費電流(負荷電流)が一定となるようにしている。
【０１１３】
このため操作箱１２側のシリアル送受信部７２に設けた電流送信部８４は、伝送制御部８０を介して入力するデジタル制御信号を電流信号に変換して送信する場合、定常的に流れている一定の消費電流をビット０に対応した基底電流とし、ビット１に対応して所定値だけ電流を増加させることで生成した電流パルスを送信する。
【０１１４】
また、操作箱１２の消費電流は常に一定とは限らず、動作状態により消費電流が変化する。このため電源部８５に定電流機能を設けていた場合、表示動作等により消費電流が定電流値を超えると電源電圧がドロップする場合がある。これを解消するため電源部８５に設けた定電流回路部の出力側に容量の大きなコンデンサを設け、消費電流の一時的な増加に対する電圧ドロップを抑えるようにしている。
【０１１５】
なお、図８に示した操作箱１２にはカウントダウン表示器６０を設けているが、制御盤１０から操作箱１２へ電源線を兼ねたシリアル伝送線Ｓと電源コモン線を兼ねたシリアル伝送コモン線ＳＣによる電源供給電力は電源部８６による制約を受けることから、消費電力を低減するために、カウントダウン表示器６０として残像機能を備えた７セグメント表示器を使用することが望ましい。
【０１１６】
（５本の信号線による結線）
図８の実施形態にあっては、グランド線として機能する電線管３５を使用することで、制御盤１０と操作箱１２の間を６本の信号線で結線している古い設備をリニューアルする場合に、２本の空き線９０，９２が発生するが、例えば空き線９０をグランド線として制御盤１０の金属筐体に設けたグランド端子Ｇ１及び操作箱１２の金属筐体に設けたグランド端子Ｇ２を接続するようにしても良い。
【０１１７】
［本発明の変形例］
（新設設備）
上記の実施形態は、電線管に通した既設信号線を利用して既設の制御盤と操作箱を本実施形態の機能を拡張した制御盤と操作箱に入れ替えるリニューアルのための改修工事を例にとっているが、新設するガス系消火設備についても同じ構成をそのまま適用することができ、この場合には、制御盤と操作箱とを結線する電線管に通した信号線の本数が４〜６本となり、図１１及び図１２に示した同等の機能を備えたガス系消火設備に対し信号線数を大幅に低減して設備工事が簡単となり、コスト低減を可能とする。
【０１１８】
（その他）
また、本発明は上記の実施形態に限定されず、その目的と利点を損なうことのない適宜の変形を含み、更に上記の実施形態に示した数値による限定は受けない。
【符号の説明】
【０１１９】
１０：制御盤
１１：火災感知器
１２：操作箱
１３：スピーカ
１４：噴射ヘッド
１５：放出表示灯
１６：消火ガス貯蔵容器
１７：選択弁
１８：起動装置
２１：圧力スイッチ
２３：閉止弁
２４；通話回路部
２５，３２：電話ジャック
２６：起動スイッチ
２８：非常停止スイッチ
３０：電源灯
３５：電線管
３６：地絡検出部
３８：扉開検知スイッチ
４０：自動モード設定スイッチ
４２：手動モード設定スイッチ
４４：ランプテストスイッチ
４６：放出起動灯
４８：火災灯
５０：自動モード表示灯
５２：手動モード表示灯
５４：閉止弁閉表示灯
６０：ダウンカウント表示器
７０，７２：シリアル送受信部
７４：表示回路部
７５，８０：伝送制御部
７６：電圧送信部
７８：電流受信部
８２：電圧受信部
８４：電流送信部
８５：電源部
【図１】
2015139658.tif 000003
【図２】
2015139658.tif 000004
【図３】
2015139658.tif 000005
【図４】
2015139658.tif 000006
【図５】
2015139658.tif 000007
【図６】
2015139658.tif 000008
【図７】
2015139658.tif 000009
【図８】
2015139658.tif 000010
【図９】
2015139658.tif 000011
【図１０】
2015139658.tif 000012
【図１１】
2015139658.tif 000013
【図１２】
2015139658.tif 000014